(57)【特許請求の範囲】
【請求項１】
人体に印加する電位を発生する電位発生部と、
前記電位発生部が発生した電位を出力する第一の出力端子および第二の出力端子と、
前記電位発生部の一端と前記第一の出力端子の間に接続された第一の抵抗と、
前記電位発生部の他端と前記第二の出力端子の間に接続された第二の抵抗と、
前記第二の抵抗と並列になるように、前記第二の抵抗の一端と他端の間に接続されたスイッチと、
前記第二の抵抗の一端と他端を短絡する第一の状態と、前記第二の抵抗の一端と他端を開放する第二の状態との間で前記スイッチの状態を制御する制御部と、
を備えたことを特徴とする電位治療器。
【請求項２】
ユーザの操作を受け付ける操作手段
をさらに備え、
前記操作手段が所定の操作を受け付けた場合、前記制御部は前記スイッチを前記第一の状態にする
ことを特徴とする請求項１に記載の電位治療器。
【発明の詳細な説明】
【技術分野】
【０００１】
本発明は人体に高電位を印加し治療する電位治療器に関する。
【背景技術】
【０００２】
従来、人体に高電位を印加し、頭痛、肩こりなどの治療を行う電位治療器が知られている。人体に過電流が流れることを防止するために、高電位を発生する高電位発生部と、高電位を出力する出力端子との間に数メガオーム（ＭΩ）から数百メガオームの高抵抗を接続し、電位治療器の電気回路に流れる電流を制限している（例えば特許文献１参照）。
【特許文献１】特開２０００−１８９５２５号公報
【発明の開示】
【発明が解決しようとする課題】
【０００３】
電位治療器では、製造時やメンテナンス時に出力端子からの出力電圧の測定が必要となる。しかしながら、高電位発生部と出力端子との間に高抵抗が直列に接続されていると誘導ノイズが乗りやすく、正確な出力電圧を測定できないという問題がある。
【０００４】
本発明は、上記の課題を解決するためになされたものであり、誘導ノイズを減らし、より正確な出力電圧の測定を行うことが可能な電位治療器を提供することを目的とする。
【課題を解決するための手段】
【０００５】
本発明は、人体に印加する電位を発生する電位発生部と、前記電位発生部が発生した電位を出力する第一の出力端子および第二の出力端子と、前記電位発生部の一端と前記第一の出力端子の間に接続された第一の抵抗と、前記電位発生部の他端と前記第二の出力端子の間に接続された第二の抵抗と、前記第二の抵抗と並列になるように、前記第二の抵抗の一端と他端の間に接続されたスイッチと、前記第二の抵抗の一端と他端を短絡する第一の状態と、前記第二の抵抗の一端と他端を開放する第二の状態との間で前記スイッチの状態を制御する制御部と、を備えたことを特徴とする電位治療器である。
【０００６】
また、本発明は、ユーザの操作を受け付ける操作手段をさらに備え、前記操作手段が所定の操作を受け付けた場合、前記制御部は前記スイッチを前記第一の状態にすることを特徴とする請求項１に記載の電位治療器である。
【発明の効果】
【０００７】
本発明によれば、電位治療器の出力電圧の測定において、誘導ノイズを減らし、より正確な出力電圧の測定を行うことが可能となる。
【発明を実施するための最良の形態】
【０００８】
以下、図面を参照し、本発明の実施形態を説明する。図１は本発明の一実施形態による電位治療器の回路図である。この回路は、高電位発生部１（電位発生部）と、第一の抵抗５と、第二の抵抗６と、リレー７（スイッチ）と、制御手段８と、操作手段９などから構成される。
【０００９】
高電位発生部１は高電位を発生する。例えば、高電位としては３０００ボルト（Ｖ）、６０００ボルト、９０００ボルトである。第一の出力端子３と第二の出力端子４は、高電位発生部１が発生した高電位を出力する。例えば、第一の出力端子３と第二の出力端子４が治療用マット（図示せず）に接続されている場合、第一の出力端子３と第二の出力端子４は治療用マットに高電位を出力する。第一の抵抗５および第二の抵抗６は、当該回路に流れる電流を制限する。本実施形態では第一の抵抗５の抵抗値、第二の抵抗６の抵抗値はともに３メガオーム（ＭΩ）である。
【００１０】
リレー７はａ接点、ｂ接点、ｃ接点の３つの接点を持つ。リレー７のａ接点は第二の抵抗の一方の端子と接続され、ｂ接点は第二の抵抗の他方の端子と接続され、ｃ接点はどこにも接続されない。制御手段８は操作手段９より信号を受け取り、受け取った信号に従って高電位発生部１とリレー７の制御を行う。すなわち、制御手段８は、高電位発生部１による高電位発生の開始および停止の制御や発生電位値の制御を行う。また、制御手段８は、リレー７が有する接点同士の接続状態に応じた二種類の状態のいずれかの状態となるようにリレー７の状態を制御する。この二種類の状態とは、ａ接点とｂ接点の接続により第二の抵抗６の一端と他端を短絡する第一の状態、およびａ接点とｃ接点の接続により第二の抵抗６の一端と他端を開放する第二の状態である。操作手段９はＯＮスイッチ、停止スイッチ、Ｈｉスイッチ、Ｌｏｗスイッチを備える。また、操作手段９は制御手段８に対する入力を受け付ける。
【００１１】
本実施形態では操作者が操作手段９のＯＮスイッチを押すと、操作手段９から制御手段８に信号が流れる。操作手段９より受け取った信号に基づいて、制御手段８はリレー７を第二の状態となるよう制御し、高電位発生部１が高電位の発生を開始するように制御する。また、操作者が操作手段９の停止スイッチを押すと、操作手段９から制御手段８に信号が流れる。操作手段９より受け取った信号に基づいて、制御手段８は高電位発生部１が高電位の発生を停止するよう制御する。また、操作者が操作手段９のＯＮスイッチと停止スイッチのような動作として矛盾する組み合わせのスイッチを同時に押すと、操作手段９から制御手段８に信号が流れる。操作手段９より受け取った信号に基づいて、制御手段８はリレー７を第一の状態となるように制御し、高電位発生部１が高電位の発生を開始するように制御する。
【００１２】
本実施形態の回路では、高電位発生部１の第一の端子１０は、第一の抵抗５をはさみ第一の出力端子３と接続されている。また、高電位発生部１の第二の端子１１は、第二の抵抗６をはさみ第二の出力端子４と接続されている。また、高電位発生部１の第二の端子１１と第二の抵抗６は接地されている。
【００１３】
次に、本実施形態の電位治療器が治療で用いられる場合の動作を説明する。初めに使用者は第一の出力端子３と第二の出力端子４に治療用マットを接続する。使用者は治療用マットを第一の出力端子３と第二の出力端子４に接続した後、操作手段９のＯＮスイッチを押す。操作手段９のＯＮスイッチが押されると、操作手段９から制御手段８に信号が流れる。操作手段９より受け取った信号に基づいて、制御手段８はリレー７を第二の状態となるよう制御し、高電位発生部１が高電位の発生を開始するように制御する。高電位発生部１は制御部８に制御され、高電位を発生する。高電位発生部１が発生した高電位は、第一の出力端子３と第二の出力端子４を介して治療用マットに出力される。治療を終了する際は、使用者は操作手段９の停止スイッチを押す。操作手段９の停止スイッチが押されると、操作手段９から制御手段８に信号が流れる。操作手段９より受け取った信号に基づいて、制御手段８は高電位発生部１が高電位の発生を停止するよう制御する。これにより電位治療器の動作は停止する。
【００１４】
次に、電位治療器の出力電圧を測定する場合の動作を説明する。初めに測定者は第一の出力端子３と第二の出力端子４に電圧計２０を接続する。測定者は電圧計２０を第一の出力端子３と第二の出力端子４に接続した後、操作手段９のＯＮスイッチと停止スイッチを同時に押す。操作手段９のスイッチ操作手段はＯＮスイッチと停止スイッチの同時入力を受け付けると、操作手段９から制御手段８に信号が流れる。操作手段９より受け取った信号に基づいて、制御手段８はリレー７を第一の状態となるように制御し、高電位発生部１が高電位の発生を開始するように制御する。高電位発生部１は制御部８に制御され、高電位を発生する。このとき、リレー７の状態は第一の状態となっているため、大部分の電流はリレー７を流れる。そのため、第二の抵抗６に流れる電流はゼロに近い値となる。高電位は第一の出力端子３と第二の出力端子４より出力される。電圧計２０は第一の出力端子３と第二の出力端子４から出力される電圧を測定する。測定を終了する際は、測定者は操作手段９の停止スイッチを押す。操作手段９の停止スイッチを押すと、操作手段９から制御手段８に信号が流れる。操作手段９より受け取った信号に基づいて、制御手段８は高電位発生部１が高電位の発生を停止するよう制御する。これにより電位治療器の動作は停止する。
【００１５】
上述したとおり、電位治療器の電圧を測定する際はリレー７の状態は第一の状態となる。そのため、大部分の電流はリレー７を流れることで第二の抵抗６に流れる電流はゼロに近い値となる。これにより、第二の抵抗６の両端にかかる電圧もゼロに近い値となり、従来第二の抵抗６が発生していた誘導ノイズを抑えることができる。よって本実施形態によれば、誘導ノイズを減らし、より正確な出力電圧の測定を行うことが可能となる。
【００１６】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００１７】
【図１】本発明の一実施形態による電位治療器の回路を示す回路図である。
【符号の説明】
【００１８】
１・・・高電位発生部（電位発生部）、３・・・第一の出力端子、４・・・第二の出力端子、５・・・第一の抵抗、６・・・第二の抵抗、７・・・リレー（スイッチ）、８・・・制御手段、９・・・操作手段、１０・・・第一の端子（電位発生部の一端）、１１・・・第二の端子（電位発生部の他端）、２０・・・電圧計
【図１】
0004980167.tif 000002